(57)【特許請求の範囲】
【請求項１】
同軸ケーブルの中心導体を機械的に挟持することにより該中心導体との接続がなされる中心導体接続部と該中心導体接続部から伸びる弾性接触係合部とを有したコンタクト部材と、
基板に装着された相手方コネクタ装置の絶縁基体に組み付けられた環状グラウンドコンタクト部に嵌合接続される環状嵌合部と該環状嵌合部から屈曲可能に伸びて上記同軸ケーブルの外側導体との接続がなされるシェル部とを有したグラウンドコンタクト部材と、
上記コンタクト部材と上記グラウンドコンタクト部材とを相互絶縁状態をもって支持する絶縁ハウジング部材と、
を備えて構成され、
相手方コネクタ装置の絶縁基体には、上記基板の面に対接する底面側部分と該底面側部分に対向する上面側部分とを連通する透孔が、該透孔の周囲に上記環状グラウンドコンタクト部が配される状態をもって形成されており、
上記コンタクト部材が、上記弾性接触係合部が上記グラウンドコンタクト部材の環状嵌合部の内側に配されるとともに、上記中心導体接続部が上記グラウンドコンタクト部材の環状嵌合部の外側において上記同軸ケーブルの中心導体に接続されるものとされ、
上記グラウンドコンタクト部材の環状嵌合部が上記相手方コネクタ装置の環状グラウンドコンタクト部に嵌合接続されたとき、上記絶縁ハウジング部材の端面が上記基板の面に対接し、該端面を有した上記絶縁ハウジング部材により包囲された上記弾性接触係合部が、上記相手方コネクタ装置の環状グラウンドコンタクト部の内側において上記相手方コネクタ装置の絶縁基体における透孔を貫通して伸び、上記基板における上記相手方コネクタ装置の絶縁基体における透孔の内側に対応する部分に該透孔の径より小なる径を有して形成された孔部の内壁面に配されたシグナル端子部に、該シグナル端子部を上記環状嵌合部の上記環状グラウンドコンタクト部との嵌合方向に直交する方向に押圧する状態をもって接触係合して接続されること、
を特徴とする同軸コネクタ装置。
【請求項２】
上記弾性接触係合部が、相互対向するものとされて上記シグナル端子部に押圧接触係合する一対の弾性舌片部により形成されることを特徴とする請求項１記載の同軸コネクタ装置。
【請求項３】
上記一対の弾性舌片部が、相互近接する方向に変位せしめられて、各々の先端部分が上記基板に形成された孔部に部分的に挿入され、該孔部に挿入された先端部分をもって上記シグナル端子部に押圧接触係合することを特徴とする請求項２記載の同軸コネクタ装置。
【請求項４】
上記絶縁ハウジング部材が、上記グラウンドコンタクト部材の環状嵌合部の内側において上記弾性接触係合部を包囲する環状基部を有し、上記弾性接触係合部の先端部が上記環状基部の一端から該環状基部の外部へと突出することを特徴とする請求項１記載の同軸コネクタ装置。
【発明の詳細な説明】
【技術分野】
【０００１】
本願の特許請求の範囲に記載された発明は、中心導体とそれを内部絶縁体を介して包囲する外側導体とが外部絶縁体により被覆されて成る同軸ケーブルの中心導体及び外側導体が夫々接続される、互いに絶縁されたコンタクト部材及びグラウンドコンタクト部材を備えて成り、他のコネクタ装置である相手方コネクタ装置に嵌合連結される同軸コネクタ装置に関する。
【背景技術】
【０００２】
複数の電気部品，電気装置あるいは電子機器間等における高周波信号の伝送には、外部ノイズの影響を受け難い信号伝送路を形成する、中心導体とそれを内部絶縁体を介して包囲する外部導体とが外部絶縁体により被覆されて成る同軸ケーブルが用いられることが多い。例えば、同軸ケーブルが高周波信号を扱う回路基板に接続されて、当該回路基板からその外部への同軸ケーブルを通じた高周波信号の伝送、あるいは、当該回路基板への外部からの高周波信号の同軸ケーブルを通じた伝送が行われる。
【０００３】
同軸ケーブルが回路基板に接続される際には、同軸ケーブルの中心導体が接続されるコンタクト部材と同軸ケーブルの外部導体が接続されるグラウンドコンタクト部材とを備えた同軸コネクタ装置が同軸ケーブルの一端に装着され、その同軸コネクタ装置が、例えば、回路基板において扱われる高周波信号が供給される中心コンタクトと中心コンタクトを包囲して配されてグラウンド電位が与えられる環状グラウンドコンタクトを備えて回路基板に取り付けられた相手方コネクタ装置に連結されるようにされる。このような同軸コネクタ装置の相手方コネクタ装置との連結は、例えば、同軸コネクタ装置のグラウンドコンタクト部材が相手方コネクタ装置の環状グラウンドコンタクトに嵌合接続されるもとで、同軸コネクタ装置のコンタクト部材が相手方コネクタ装置の中心コンタクトに接触接続される状態がとられて行われる。
【０００４】
斯かる同軸コネクタ装置の相手方コネクタ装置との連結が行われるにあたっては、回路基板に取り付けられた相手方コネクタ装置が、例えば、それにおける中心コンタクトと環状グラウンドコンタクトとを回路基板における部品等搭載面の上方に向かわせるものとされ、その相手方コネクタ装置に対して、同軸ケーブルの一端に装着された同軸コネクタ装置が、回路基板における部品等搭載面の上方からその部品等搭載面に向かう方向をもって係合せしめられて、同軸コネクタ装置のグラウンドコンタクト部材が相手方コネクタ装置の環状グラウンドコンタクトに嵌合接続されるとともに、同軸コネクタ装置のコンタクト部材が相手方コネクタ装置の中心コンタクトに接触接続される。従って、相手方コネクタ装置が取り付けられた回路基板上において、同軸コネクタ装置は、回路基板における部品等搭載面から突出するものとなる。
【０００５】
従来、同軸コネクタ装置として様々なものが知られているが、それらのうちの一つとして、同軸ケーブルの一端への装着を適正かつ容易にすべく、それが備えるコンタクトと同軸ケーブルの中心導体との接続に半田付けを必要としないようにした同軸コネクタ装置が提案されている（例えば、特許文献１参照。）。斯かる特許文献１に開示されている同軸コネクタ（同軸コネクタ装置）は、環状嵌合部とその環状嵌合部から伸びるシェル折曲げ部とを有したシェル（グラウンドコンタクト部材）と、コンタクト固定部とそのコンタクト固定部から伸びるコンタクト折曲げ部及び一対の係合部（接触接続部）とを有した接続端子（コンタクト部材）と、絶縁折曲げ部を有して接続端子とシェルとの間に配される絶縁部（絶縁ハウジング部材）とを備えて構成される。そして、接続端子が絶縁部により支持され、その絶縁部がシェルにより支持されて、接続端子のコンタクト固定部とそれから伸びるコンタクト折曲げ部とが、シェルの環状嵌合部に対して、接続端子のコンタクト固定部から伸びる係合部がシェルの環状嵌合部によって包囲されることになる位置に配される。
【０００６】
斯かる同軸コネクタ装置が同軸ケーブルの一端に装着される際には、同軸ケーブルの中心導体が接続端子のコンタクト固定部に対応する位置に配されて、接続端子のコンタクト折曲げ部，絶縁部の絶縁折曲げ部及びシェルのシェル折曲げ部が折り重ねられることにより、同軸ケーブルの中心導体が、接続端子のコンタクト固定部とコンタクト折曲げ部とにより挟まれて固定され、接続端子に接続された状態が維持されるとともに、シェル折曲げ部が同軸ケーブルの外側導体に接続される状態がとられる。その後、同軸ケーブルの一端に装着された同軸コネクタ装置は、回路基板に取り付けられた相手方コネクタ装置に、シェルの環状嵌合部を相手方コネクタ装置の環状グラウンドコンタクトに嵌合させるとともに、接続端子のコンタクト固定部から伸びる係合部を相手方コネクタ装置の中心コンタクトに接触接続させて連結される。
【０００７】
このような特許文献１に開示された従来の同軸コネクタ装置にあっては、同軸ケーブルの一端に装着されて回路基板に取り付けられた相手方コネクタ装置に連結されたとき、接続端子に接続された同軸ケーブルの中心導体が、接続端子のコンタクト固定部から伸びる係合部がシェルの環状嵌合部によって包囲されることになる位置に配された接続端子のコンタクト固定部とコンタクト折曲げ部とによって挟まれたものとされる。従って、接続端子のコンタクト固定部及びコンタクト折曲げ部とそれらにより挟まれて固定された同軸ケーブルの中心導体とが、シェルの環状嵌合部の内側において、回路基板に取り付けられた相手方コネクタ装置の中心コンタクトに重ねられることになる位置に配されるので、その分だけ同軸コネクタ装置の回路基板における部品等搭載面からの突出寸法が増すことになってしまう。
【０００８】
そのため、同軸ケーブルの一端に装着された同軸コネクタ装置が連結される相手方コネクタ装置を、中心コンタクトを備えることなく回路基板に取り付けられるものとして、同軸コネクタ装置の回路基板における部品等搭載面からの突出寸法の低減を図るようにすることも従来提案されている（例えば、特許文献２参照。）。斯かる特許文献２に開示されている薄型同軸コネクタは、同軸ケーブルの一端に装着されるメス型コネクタ（同軸コネクタ装置）とプリント基板（回路基板）に取り付けられるオス型コネクタ（相手方コネクタ装置）とを含んで構成される。そして、メス型コネクタが、同軸ケーブルの外側導体に接続される導電性シェル（グラウンドコンタクト部材）と同軸ケーブルの中心導体が接続されるメス型コンタクト（コンタクト部材）とを、メス型コンタクトがシェルの外部へと突出して伸びることになるものとして備え、一方、オス型コネクタは、プリント基板上に配されてメス型コネクタの導電性シェルが嵌合連結される円筒状の金属製シェル（環状グラウンドコンタクト）を備えるが、中心コンタクトは備えないものとされる。
【０００９】
このようなもとで、同軸ケーブルの一端に装着されたメス型コネクタの導電性シェルが、プリント基板に取り付けられたオス型コネクタの金属製シェルに嵌合連結されたときには、メス型コネクタにおけるその外部へと突出するメス型コンタクトが、オス型コネクタの金属製シェルが配されたプリント基板における部品等搭載面上に設けられたシグナル用回路パターン（シグナル端子部）に、直接当接することにより接触接続される。このようにして、同軸ケーブルの中心導体が接続されたメス方コネクタにおけるメス型コンタクトが、プリント基板における部品等搭載面上に設けられたシグナル用回路パターンに直接当接するものとされることにより、シグナル用回路パターンとメス型コンタクトとの間に両者を連結するための部材が不要とされて、プリント基板上のオス型コネクタに連結されたメス型コネクタのプリント基板における部品等搭載面からの突出寸法の低減が図られることになる。
【先行技術文献】
【特許文献】
【００１０】
【特許文献１】特開２００２−３２４６３６号公報（第３〜４頁及び図１〜図７）
【特許文献２】実開平６−５１５８号公開明細書及び図面（第７〜１０頁及び図６）
【発明の概要】
【発明が解決しようとする課題】
【００１１】
上述された、コンタクト部材と同軸ケーブルの中心導体との接続に半田付けが必要とされず、かつ、回路基板における部品等搭載面からの突出寸法の低減を図ることができるようにされた、従来提案されている同軸コネクタ装置にあっては、その利点の反面、同軸ケーブルの中心導体が接続されて装置外へと突出するコンタクト部材と回路基板における部品等搭載面上に設けられたシグナル端子部との接触接続が、適正に行われなくなる虞があるという不都合を伴うことになってしまう。即ち、上述の従来提案されている同軸コネクタ装置にあっては、それに備えられたコンタクト部材が、同軸コネクタ装置に備えられたグラウンドコンタクト部材が、回路基板に取り付けられた相手方コネクタ装置における環状グラウンドコンタクトに嵌合接続されるとき、相手方コネクタ装置における環状グラウンドコンタクトが配された回路基板における部品等搭載面上に設けられたシグナル端子部に直接に当接するが、コンタクト部材のシグナル端子部に対する当接方向は、グラウンドコンタクト部材の環状グラウンドコンタクトに対する嵌合方向である、回路基板における部品等搭載面に向かう方向とされる。
【００１２】
そのため、同軸コネクタ装置におけるコンタクト部材の装置外への突出の仕方によっては、グラウンドコンタクト部材が相手方コネクタ装置における環状グラウンドコンタクトに嵌合接続されるとき、同軸コネクタ装置におけるコンタクト部材が、回路基板における部品等搭載面上に設けられたシグナル端子部に適正に到達せず、それにより、シグナル端子部との適性な当接状態におかれないことになる事態、あるいは、回路基板における部品等搭載面上に設けられたシグナル端子部に過剰な押圧力を伴って当接し、シグナル端子部、さらには、回路基板における部品等搭載面に歪みや変形等を生じさせることになる事態がまねかれる虞がある。斯かる事態がまねかれると、同軸コネクタ装置におけるコンタクト部材は、回路基板における部品等搭載面上に設けられたシグナル端子部に適正に接触接続されないものとなってしまう。
【００１３】
斯かる点に鑑み、本願の特許請求の範囲に記載された発明は、同軸ケーブルの中心導体が接続されるコンタクト部材と、同軸ケーブルの外側導体が接続されるグラウンドコンタクト部材と、コンタクト部材とグラウンドコンタクト部材とを相互絶縁状態をもって支持する絶縁ハウジング部材とを備えて構成され、回路基板に取り付けられた相手方コネクタ装置に連結されて用いられるにあたり、コンタクト部材と同軸ケーブルの中心導体との接続にあたって半田付けを不要とでき、かつ、コンタクト部材を相手方コネクタ装置が配された回路基板に設けられたシグナル端子部に直接に接触係合して接続されるものとなすことにより、当該回路基板における部品等搭載面からの突出寸法の低減を図ることができ、しかも、コンタクト部材のシグナル端子部との接触接続が適正に行われなくなる事態を回避することができる同軸コネクタ装置を提供する。
【課題を解決するための手段】
【００１４】
本願の特許請求の範囲における請求項１から請求項４までのいずれかに記載された発明に係る同軸コネクタ装置（以下、本願発明に係る同軸コネクタ装置という。）は、同軸ケーブルの中心導体を機械的に挟持することにより当該中心導体との接続がなされる中心導体接続部とそれから伸びる弾性接触係合部とを有したコンタクト部材と、基板に装着された相手方コネクタ装置の絶縁基体に組み付けられた環状グラウンドコンタクト部に嵌合接続される環状嵌合部とそれから屈曲可能に伸びて同軸ケーブルの外側導体との接続がなされるシェル部とを有したグラウンドコンタクト部材と、コンタクト部材とグラウンドコンタクト部材とを相互絶縁状態をもって支持する絶縁ハウジング部材とを備えて構成され、相手方コネクタ装置の絶縁基体には、基板の面に対接する底面側部分とそれに対向する上面側部分とを連通する透孔が、その周囲に環状グラウンドコンタクト部が配される状態をもって形成されており、コンタクト部材が、弾性接触係合部がグラウンドコンタクト部材の環状嵌合部の内側に配されるとともに、中心導体接続部がグラウンドコンタクト部材の環状嵌合部の外側において同軸ケーブルの中心導体に接続されるものとされ、グラウンドコンタクト部材の環状嵌合部が相手方コネクタ装置の環状グラウンドコンタクト部に嵌合接続されたとき、絶縁ハウジング部材の端面が基板の面に対接し、その端面を有した絶縁ハウジング部材により包囲された弾性接触係合部が、相手方コネクタ装置の環状グラウンドコンタクト部の内側において相手方コネクタ装置の絶縁基体における透孔を貫通して伸び、基板における相手方コネクタ装置の絶縁基体における透孔の内側に対応する部分にその透孔の径より小なる径を有して形成された孔部の内壁面に配されたシグナル端子部に、それを環状嵌合部の上記環状グラウンドコンタクト部との嵌合方向に直交する方向に押圧する状態をもって接触係合して接続されることを特徴とするものとされる。
【００１５】
上述の本願発明に係る同軸コネクタ装置にあっては、コンタクト部材とグラウンドコンタクト部材とが絶縁ハウジング部材により相互絶縁状態をもって支持され、コンタクト部材の中心導体接続部が、グラウンドコンタクト部材の環状嵌合部の外側に配されるとともに、コンタクト部材の中心導体接続部から伸びる弾性接触係合部が、グラウンドコンタクト部材の環状嵌合部の内側に配されたもとで、同軸ケーブルの中心導体がコンタクト部材の中心導体接続部にそれにより機械的に挟持されることにより接続されるとともに、同軸ケーブルの外側導体がグラウンドコンタクト部材のシェル部に接続されて、同軸ケーブルの一端部に装着される。絶縁ハウジング部材は、例えば、グラウンドコンタクト部材の環状嵌合部の内側においてコンタクト部材の弾性接触係合部を包囲する環状の基部を有し、弾性接触係合部の先端部が基部の一端からその基部の外部へと突出するものとなる。また、コンタクト部材の弾性接触係合部は、例えば、相互対向するものとされた一対の弾性舌片部により構成される。
【００１６】
同軸ケーブルの一端部に装着された本願発明に係る同軸コネクタ装置は、基板に装着された相手方コネクタ装置に、グラウンドコンタクト部材の環状嵌合部を相手方コネクタ装置の環状グラウンドコンタクト部に嵌合接続されるものとして、連結される。このとき、絶縁ハウジング部材の端面が基板の面に対接し、その端面を有した絶縁ハウジング部材により包囲されたコンタクト部材の弾性接触係合部は、グラウンドコンタクト部材の環状嵌合部の外側に配されて同軸ケーブルの中心導体が接続されたコンタクト部材の中心導体接続部から基板に向かって、相手方コネクタ装置の環状グラウンドコンタクト部の内側において相手方コネクタ装置の絶縁基体に形成された透孔を貫通して伸び、例えば、その先端部が、グラウンドコンタクト部材の環状嵌合部の内側において弾性接触係合部を包囲する絶縁ハウジング部材の基部の一端から、当該基部の外部へと突出するものとなる。そして、相手方コネクタ装置の環状グラウンドコンタクト部の内側を貫通して伸びる弾性接触係合部は、例えば、その先端部をもって、基板における相手方コネクタ装置の絶縁基体における透孔の内側に対応する部分に当該透孔の径より小なる径を有して形成された孔部の内壁面に配されたシグナル端子部に、当該シグナル端子部を環状嵌合部の環状グラウンドコンタクト部との嵌合方向に直交する方向に押圧する状態をもって接触係合して接続される。その際、弾性接触係合部は、例えば、それが有する相互対向するものとされた一対の弾性舌片部が、相互近接する方向に変位せしめられて、各々の先端部分が基板に形成された孔部に部分的に挿入され、その孔部に挿入された先端部分をもってシグナル端子部に押圧接触係合するものとされる。
【発明の効果】
【００１７】
このような本願発明に係る同軸コネクタ装置にあっては、同軸ケーブルの一端に装着されるにあたり、同軸ケーブルの中心導体がコンタクト部材の中心導体接続部にそれにより機械的に挟持されることにより接続されるので、コンタクト部材と同軸ケーブルの中心導体との接続にあたり半田付けを不要とすることができる。
【００１８】
また、本願発明に係る同軸コネクタ装置によれば、同軸ケーブルの中心導体が接続されたコンタクト部材の中心導体接続部から伸びる弾性接触係合部が、相手方コネクタ装置が装着された基板における相手方コネクタ装置の絶縁基体における透孔の内側に対応する部分に当該透孔の径より小なる径を有して形成された孔部の内壁面に配されたシグナル端子部に直接的に接触係合して、同軸ケーブルの中心導体をコンタクト部材を介して基板に設けられたシグナル端子部に連結するので、コンタクト部材の弾性接触係合部と基板におけるシグナル端子部との間に両者を連結するための連結部材を要することなく、同軸ケーブルの中心導体を基板に設けられたシグナル端子部に確実に連結することができ、また、連結部材が不要とされることにより、基板における部品等搭載面からの突出寸法の低減を図ることができる。
【００１９】
しかも、弾性接触係合部が、基板に形成された孔部の内壁面に配されたシグナル端子部に直接的に接触係合するにあたり、その弾性によって、シグナル端子部を、グラウンドコンタクト部材の環状嵌合部が相手方コネクタ装置の環状グラウンドコンタクト部に嵌合する際の嵌合方向に直交する方向に押圧する状態をとるので、弾性接触係合部のシグナル端子部に対する接触方向が、グラウンドコンタクト部材の環状嵌合部が相手方コネクタ装置の環状グラウンドコンタクト部に嵌合する際の嵌合方向に沿う方向ではなく、当該嵌合方向に直交する方向とされる。その結果、弾性接触係合部の同軸コネクタ装置外への突出長、例えば、弾性接触係合部の先端部分の絶縁ハウジング部材の基部の一端から当該基部の外部への突出長が、基板の厚み寸法以下である限り、その突出の仕方の如何によらず、弾性接触係合部のシグナル端子部との接触接続が適正に行われる状態を得ることができ、コンタクト部材のシグナル端子部との接触接続が適正に行われなくなる事態を回避することができる。
【図面の簡単な説明】
【００２０】
【図１】本願発明に係る同軸コネクタ装置の一例を同軸ケーブルの一部と共に示す上面側から見た斜視図である。
【図２】本願発明に係る同軸コネクタ装置の一例を同軸ケーブルの一部と共に示す底面側から見た斜視図である。
【図３】本願発明に係る同軸コネクタ装置の一例が嵌合連結される相手方コネクタ装置の一例をそれが装着された回路基板の一部と共に示す上面側から見た斜視図である。
【図４】本願発明に係る同軸コネクタ装置の一例が嵌合連結される相手方コネクタ装置の一例を示す底面側から見た斜視図である。
【図５】本願発明に係る同軸コネクタ装置の一例が備える絶縁ハウジング部材を示す上面側から見た斜視図である。
【図６】本願発明に係る同軸コネクタ装置の一例が備えるグラウンドコンタクト部材を示す上面側から見た斜視図である。
【図７】本願発明に係る同軸コネクタ装置の一例が備えるコンタクト部材を示す上面側から見た斜視図である。
【図８】本願発明に係る同軸コネクタ装置の一例を示す上面側から見た斜視図である。
【図９】本願発明に係る同軸コネクタ装置の一例が同軸ケーブルの一端部に装着される過程を示す斜視図である。
【図１０】本願発明に係る同軸コネクタ装置の一例が同軸ケーブルの一端部に装着されたもとで相手方コネクタ装置の一例に嵌合連結される直前の状態を示す断面図である。
【図１１】本願発明に係る同軸コネクタ装置の一例が同軸ケーブルの一端部に装着されたもとで相手方コネクタ装置の一例に嵌合連結された状態を示す斜視図である。
【図１２】本願発明に係る同軸コネクタ装置の一例が同軸ケーブルの一端部に装着されたもとで相手方コネクタ装置の一例に嵌合連結された状態を示す平面図である。
【図１３】図１２におけるXIII−XI11線断面を示す断面図である。
【図１４】図１２における XIV−XIV 線断面を示す断面図である。
【発明を実施するための形態】
【００２１】
本願発明を実施するための形態は、以下に述べられる本願発明についての実施例をもって説明される。
【実施例】
【００２２】
図１及び図２は、本願発明に係る同軸コネクタ装置の一例を、それが一端部に装着された同軸ケーブルの一例と共に示す。
【００２３】
図１及び図２に示される本願発明に係る同軸コネクタ装置の一例を成す同軸コネクタ装置１０は、同軸ケーブル１１の一端部に装着されており、同軸ケーブル１１は、中心導体１２（図９）と、中心導体１２を密着包囲する内部絶縁体１３（図９）と、内部絶縁体１３を密着包囲する外側導体１４（図９）と、外側導体１４を密着包囲する表皮絶縁体１５とを有している。斯かる同軸ケーブル１１の一端部においては、後述される図 9に示されるように、表皮絶縁体１５が部分的に切除されて外側導体１４が露出するとともに、その外側導体１４及び内部絶縁体１３の夫々が部分的に切除されて中心導体１２が露出する状態におかれている。
【００２４】
同軸コネクタ装置１０は、主要構成要素として、導電性材料により形成されて、同軸ケーブル１１の中心導体１２との電気的接続がなされるコンタクト部材２０と、導電性材料により形成されて、同軸ケーブル１１の外側導体１４との電気的接続がなされるグラウンドコンタクト部材２１と、合成樹脂材等の絶縁材料により形成されて、コンタクト部材２０とグラウンドコンタクト部材２１とを相互絶縁状態をもって支持する絶縁ハウジング部材２２とを備えている。
【００２５】
絶縁ハウジング部材２２は、外周面２３が円筒面状を成すものとされ、中央部に矩形透孔２４が形成されるとともに、矩形透孔２４に連なる内部空間が形成された基部２５を有しており、基部２５は、コンタクト部材２０を保持している。また、グラウンドコンタクト部材２１が、絶縁ハウジング部材２２の基部２５を包囲する環状嵌合部２６を有している。そして、これら絶縁ハウジング部材２２の基部２５とグラウンドコンタクト部材２１の環状嵌合部２６とは、同軸コネクタ装置１０における嵌合連結部を構成しており、同軸ケーブル１１の一端部に装着された同軸コネクタ装置１０は、斯かる嵌合連結部をもって、相手方コネクタ装置に嵌合連結される。
【００２６】
図３は、同軸コネクタ装置１０が嵌合連結される相手方コネクタ装置の一例を成す相手方コネクタ装置３０と、相手方コネクタ装置３０が装着された回路基板３１の部分とを示す。相手方コネクタ装置３０は、回路基板３１における部品等搭載面３２上に固定されている。
【００２７】
相手方コネクタ装置３０は、合成樹脂材等の絶縁材料により形成されて、相手方コネクタ装置３０が固定される回路基板３１の部品等搭載面３２上に配される絶縁基体３５を備えている。図４に示されるように、絶縁基体３５は、相手方コネクタ装置３０が固定される回路基板３１の部品等搭載面３２に対接する底面側部分３６とそれに対向する上面側部分３７とを有しており、その中央部分に、底面側部分３６と上面側部分３７とを連通する透孔３８が形成されている。
【００２８】
また、相手方コネクタ装置３０は、導電材料により形成され、絶縁基体３５の上面側部分３７側において、絶縁基体３５に形成された透孔３８の周囲に配される環状体を成すものとして、絶縁基体３５に組み付けられた環状グラウンドコンタクト部３９を備えている。環状グラウンドコンタクト部３９には、それから絶縁基体３５を貫通して絶縁基体３５の底面側部分３６側において絶縁基体３５の外部へと伸びるグラウンド接続部４０が設けられている。環状グラウンドコンタクト部３９は、相手方コネクタ装置３０に嵌合連結される同軸コネクタ装置１０におけるグラウンドコンタクト部材２１の環状嵌合部２６が嵌合接続されるものとされ、グラウンド接続部４０は、絶縁基体３５が配される部品等搭載面３２を有する回路基板３１に設けられた接地端子（図示が省略されている。）に、例えば、半田付けにより接続される。なお、環状グラウンドコンタクト部３９の絶縁基体３５への組み付けは、例えば、インサート成形による一体組付けとされてもよい。
【００２９】
回路基板３１における相手方コネクタ装置３０の絶縁基体３５に形成された透孔３８の内側に対応する部分には、透孔３８の径より小なる径を有した透孔３３が形成されている。そして、その透孔３３の内壁面には、導電材料で成るシグナル端子部３４が設けられている。シグナル端子部３４は、透孔３３の内壁面を全面的に覆う導電性環状体を成すものとされている。なお、回路基板３１に形成された透孔３３に代えて、回路基板３１の部品等搭載面３２に開口する有底孔が形成され、その有底孔の内壁面にシグナル端子部３４が設けられてもよい。
【００３０】
同軸コネクタ装置１０が備える絶縁ハウジング部材２２は、図５に示されるように、基部２５に加えて、基部２５の一端から折曲可能に伸び、折り曲げられたときコンタクト部材２０に当接するものとされる折曲当接部４５を有しており、また、基部２５の一部が、グラウンドコンタクト部材２１の環状嵌合部２６に連なる湾曲部２７にその内側から係合してグラウンドコンタクト部材２１を保持する保持部４６を形成している。折曲当接部４５は、全体として平板状部を成すものとされており、また、保持部４６には、グラウンドコンタクト部材２１の湾曲部２７に設けられた切欠き２７ａに挿入される突起部４６ａが設けられている。
【００３１】
また、同軸コネクタ装置１０が備えるグラウンドコンタクト部材２１にあっては、図６に示されるように、環状嵌合部２６に連なる湾曲部２７に、絶縁ハウジング部材２２の保持部４６に設けられた突起部４６ａが挿入される切欠き２７ａが設けられている。そして、グラウンドコンタクト部材２１は、環状嵌合部２６及び湾曲部２７に加えて、湾曲部２７の一端から折曲可能に伸び、折り曲げられるとき、それに伴って絶縁ハウジング部材２２の折曲当接部４５を折り曲げるとともに、中心導体１２がコンタクト部材２０に接続された同軸ケーブル１１の外側導体１４との接続がなされることになるシェル部４７と、湾曲部２７から伸びて、中心導体１２がコンタクト部材２０に接続された同軸ケーブル１１の外側導体１４に接触して当該同軸ケーブル１１を支持するケーブル支持部４８とを有している。シェル部４７は、それに沿って絶縁ハウジング部材２２における折曲当接部４５が伸びることになるものとされている。
【００３２】
そして、シェル部４７には、折り曲げられて、ケーブル支持部４８に係合することになる一対の第１の折曲係合部４９、及び、折り曲げられて、中心導体１２がコンタクト部材２０に接続された同軸ケーブル１１の表皮絶縁体１５に係合することになる一対の第２の折曲係合部５０が設けられている。
【００３３】
さらに、同軸コネクタ装置１０が備えるコンタクト部材２０は、図７に示されるように、絶縁ハウジング部材２２における基部２５に固定される平板状を成す固定部５５と、固定部５５から屈曲部５６を介して折り返すように伸びる可動平板状部５７と、固定部５５から相互対向して伸びる一対の弾性舌片部５８及び５９とを有して構成されている。
【００３４】
可動平板状部５７は、屈曲部５６を揺動支点として、固定部５５に近接する方向及び固定部５５から離隔する方向に弾性揺動可能とされており、可動平板状部５７が固定部５５に近接する位置をとるとき相互対面することになる固定部５５の面と可動平板状部５７の面とには夫々溝部５５ａ及び溝部５７ａが形成されている。そして、可動平板状部５７は、固定部５５に形成された溝部５５ａに同軸ケーブル１１の中心導体１２が配されたもとで、固定部５５に近接するものとされるとき、それに形成された溝部５７ａと固定部５５の溝部５５ａとを相互対向させ、それにより、同軸ケーブル１１の中心導体１２が固定部５５に形成された溝部５５ａと可動平板状部５７に形成された溝部５７ａとによって機械的に挟持される状態となす。このような、固定部５５と屈曲部５６と可動平板状部５７とは、同軸ケーブル１１の中心導体１２を機械的に挟持することによりその中心導体１２との接続がなされる、コンタクト部材２０における中心導体接続部６０を構成している。
【００３５】
また、一対の弾性舌片部５８及び５９は、固定部５５と屈曲部５６と可動平板状部５７とにより構成される中心導体接続部６０から伸びて、相手方コネクタ装置３０が装着された回路基板３１に設けられたシグナル端子部３４に接触係合する役割を果たす、コンタクト部材２０における弾性接触係合部６１を構成している。
【００３６】
このような固定部５５と屈曲部５６と可動平板状部５７とにより構成される中心導体接続部６０、及び、一対の弾性舌片部５８及び５９により構成されて中心導体接続部６０から伸びる弾性接触係合部６１を有したコンタクト部材２０は、例えば、弾性金属板材に打抜き折曲げ加工が施されることにより一体的に形成される。そして、コンタクト部材２０が、中心導体接続部６０に同軸ケーブル１１の中心導体１２がそれにより機械的に挟持されることによって接続されて、グラウンドコンタクト部材２１と共に、絶縁ハウジング部材２２により支持された状態がとられる際には、中心導体接続部６０を構成する固定部５５と屈曲部５６と可動平板状部５７とのうちの固定部５５と屈曲部５６とが絶縁ハウジング部材２２における基部２５の一部が形成する保持部４６内に配されて、固定部５５が絶縁ハウジング部材２２の基部２５に固定され、また、一対の弾性舌片部５８及び５９により構成される弾性接触係合部６１が、絶縁ハウジング部材２２における基部２５の内部空間内を伸び、その先端部となる一対の弾性舌片部５８及び５９の夫々の先端部分を、絶縁ハウジング部材２２における基部２５の中央部に形成された矩形透孔２４通じて、絶縁ハウジング部材２２の外部に突出させるものとされる。それにより、弾性接触係合部６１が、グラウンドコンタクト部材２１の環状嵌合部２６の内側に配されるとともに、中心導体接続部６０が、グラウンドコンタクト部材２１の環状嵌合部２６の外側において、同軸ケーブル１１の中心導体１２に接続されたものとされる。
【００３７】
上述の図７に示されるコンタクト部材２０と図６に示されるグラウンドコンタクト部材２１とが、図５に示される絶縁ハウジング部材２２によって相互絶縁状態とされて支持されることにより、同軸コネクタ装置１０が、図８に示されるように組み立てられる。このような図８に示される同軸コネクタ装置１０の組立は、例えば、次のようにしてなされる。
【００３８】
先ず、コンタクト部材２０が、その中心導体接続部６０を構成する固定部５５が絶縁ハウジング部材２２の基部２５に固定される状態をもって、絶縁ハウジング部材２２に取り付けられ、それにより、絶縁ハウジング部材２２により支持された状態におかれる。その際、コンタクト部材２０の弾性接触係合部６１が、中心導体接続部６０から絶縁ハウジング部材２２の基部２５における矩形透孔２４に連なる内部空間内へと伸び、その先端部が矩形透孔２４を通じて絶縁ハウジング部材２２外へと突出する。コンタクト部材２０の中心導体接続部６０は、絶縁ハウジング部材２２の基部２５における内部空間外に配される。即ち、絶縁ハウジング部材２２の基部２５は、コンタクト部材２０の弾性接触係合部６１を包囲していることになる。
【００３９】
絶縁ハウジング部材２２の基部２５における内部空間内を伸びるコンタクト部材２０の弾性接触係合部６１を構成する一対の弾性舌片部５８及び５９は、相互に近接する方向及び相互に離隔する方向の弾性変位が可能な状態におかれ、そのため、絶縁ハウジング部材２２の基部２５と一対の弾性舌片部５８及び５９の夫々との間には、上述の弾性変位を許容する間隙が形成されている。
【００４０】
上述のように絶縁ハウジング部材２２の基部２５における内部空間内を伸びるコンタクト部材２０の弾性接触係合部６１は、それを構成する一対の弾性舌片部５８及び５９の夫々の先端部分が、絶縁ハウジング部材２２の基部２５に設けられた矩形透孔２４を通じて、絶縁ハウジング部材２２の基部２５の外部に突出するものとされる。また、コンタクト部材２０の中心導体接続部６０は、固定部５５と屈曲部５６と可動平板状部５７とにより構成されているが、それらのうちの固定部５５と屈曲部５６とが、絶縁ハウジング部材２２における基部２５の一部が形成する保持部４６内に配されるものとされる。
【００４１】
続いて、グラウンドコンタクト部材２１が、コンタクト部材２０が取り付けられた絶縁ハウジング部材２２に取り付けられ、それにより、絶縁ハウジング部材２２により支持された状態におかれる。その際には、絶縁ハウジング部材２２における基部２５の一部が形成する保持部４６が、グラウンドコンタクト部材２１の環状嵌合部２６にその内側から係合するとともに、グラウンドコンタクト部材２１の湾曲部２７に形成された切欠き２７ａに保持部４６に設けられた突起部４６ａが挿入される。そして、絶縁ハウジング部材２２の基部２５から伸びる折曲当接部４５が、グラウンドコンタクト部材２１における湾曲部２７から伸びるシェル部４７に沿って伸びるものとされる。
【００４２】
このようにして、コンタクト部材２０及びグラウンドコンタクト部材２１が絶縁ハウジング部材２２に取り付けられて組み立てられた同軸コネクタ装置１０にあっては、コンタクト部材２０の弾性接触係合部６１が、グラウンドコンタクト部材２１の環状嵌合部２６の内側に配されるとともに、コンタクト部材２０の中心導体接続部６０が、グラウンドコンタクト部材２１の環状嵌合部２６の外側において弾性接触係合部６１に近接して配されることになる。
【００４３】
そして、斯かる同軸コネクタ装置１０が同軸ケーブル１１の一端部に装着されるときには、図９に示されるように、同軸ケーブル１１の一端部において、表皮絶縁体１５が部分的に切除され、さらに、外側導体１４と内部絶縁体１３とが部分的に切除されて露出するものとされた中心導体１２が、同軸コネクタ装置１０におけるコンタクト部材２０の中心導体接続部６０を構成する固定部５５に形成された溝部５５ａに載置される。その際、同軸コネクタ装置１０の中心導体１２は、固定部５５とそれと共に中心導体接続部６０を構成する可動平板状部５７との間に位置するものとされる。
【００４４】
その後、グラウンドコンタクト部材２１におけるシェル部４７が、グラウンドコンタクト部材２１におけるケーブル支持部４８に向かう方向に、絶縁ハウジング部材２２における折曲当接部４５を伴って折り曲げられて、グラウンドコンタクト部材２１におけるケーブル支持部４８と略平行となる位置をとるものとされる。そして、グラウンドコンタクト部材２１におけるシェル部４７に伴って折り曲げられた絶縁ハウジング部材２２における折曲当接部４５が、コンタクト部材２０の中心導体接続部６０を構成する可動平板状部５７に当接して、可動平板状部５７を固定部５５に向かって押圧変位させ、固定部５５に形成された溝部５５ａに載置された同軸ケーブル１１の中心導体１２を、可動平板状部５７に形成された溝部５７ａと固定部５５の溝部５５ａとによって機械的に挟持されたものとなす。その結果、同軸ケーブル１１の中心導体１２が、コンタクト部材２０の中心導体接続部６０に、それにより機械的に挟持されることにより接続された状態が得られる。そして、コンタクト部材２０の中心導体接続部６０に同軸ケーブル１１の中心導体１２を半田付けすることは不要とされる。
【００４５】
続いて、折り曲げられたグラウンドコンタクト部材２１におけるシェル部４７に設けられた一対の第１の折曲係合部４９及び一対の第２の折曲係合部５０が夫々折り曲げられて、一対の第１の折曲係合部４９がグラウンドコンタクト部材２１におけるケーブル支持部４８に係合し、また、一対の第２の折曲係合部５０が同軸ケーブル１１の表皮絶縁体１５に係合する状態がとられる。その結果、図１及び図２に示されるような、同軸ケーブル１１の一端部に装着された同軸コネクタ装置１０が得られる。
【００４６】
上述のようにして、同軸ケーブル１１の一端部に装着された同軸コネクタ装置１０が、回路基板３１に装着された相手方コネクタ装置３０に嵌合連結されるときには、図１０に示されるように、回路基板３１に装着された相手方コネクタ装置３０に対して、同軸コネクタ装置１０が、その絶縁ハウジング部材２２の基部２５及びそれを包囲するグラウンドコンタクト部材２１の環状嵌合部２６に、相手方コネクタ装置３０の環状グラウンドコンタクト部３９に対応する位置をとらせるものとして配される。その後、同軸コネクタ装置１０が、相手方コネクタ装置３０が装着された回路基板３１に向けて移動せしめられ、それにより、図１１及び図１２に示されるように、回路基板３１に装着された相手方コネクタ装置３０に嵌合連結された状態におかれる。
【００４７】
同軸コネクタ装置１０が相手方コネクタ装置３０に嵌合連結されたもとにあっては、図１２におけるXIII-XIII 線断面を示す図１３及び図１２におけるXIV-XIV 線断面を示す図１４に示されるように、同軸コネクタ装置１０におけるグラウンドコンタクト部材２１の環状嵌合部２６が、相手方コネクタ装置３０の環状グラウンドコンタクト部３９に嵌合接続せしめられるとともに、同軸コネクタ装置１０における絶縁ハウジング部材２２における基部２５が、相手方コネクタ装置３０における環状グラウンドコンタクト部３９により包囲された絶縁基体３５に形成された透孔３８内に配され、その基部２５における矩形透孔２４が開口する端面が、回路基板３１の部品等搭載面３２に対接するものとされる。それにより、絶縁ハウジング部材２２における基部２５により包囲された同軸コネクタ装置１０におけるコンタクト部材２０の弾性接触係合部６１は、相手方コネクタ装置３０における環状グラウンドコンタクト部３９の内側を貫通して伸びるものとされる。
【００４８】
そして、斯かるもとで、同軸コネクタ装置１０の絶縁ハウジング部材２２における基部２５の内部空間から基部２５に形成された矩形透孔２４を通じて基部２５の外部に突出する、同軸コネクタ装置１０におけるコンタクト部材２０の弾性接触係合部６１の先端部、即ち、弾性接触係合部６１を構成する一対の弾性舌片部５８及び５９の夫々の先端部分が、回路基板３１に形成された透孔３３の内壁面に配されたシグナル端子部３４に、直接的に当接して接触係合する。このとき、弾性接触係合部６１を構成する一対の弾性舌片部５８及び５９は、相互近接する方向に変位せしめられて夫々の先端部分が透孔３３に挿入され、透孔３３に挿入された先端部分をもってシグナル端子部３４に押圧接触係合するものとされる。それにより、弾性接触係合部６１を構成する一対の弾性舌片部５８及び５９は、各々の弾性により、夫々の先端部分をもって、シグナル端子部３４に、グラウンドコンタクト部材２１の環状嵌合部２６の相手方コネクタ装置３０における環状グラウンドコンタクト部３９との嵌合方向に直交する方向の押圧力を作用させる。従って、同軸コネクタ装置１０におけるコンタクト部材２０の弾性接触係合部６１は、相手方コネクタ装置３０における環状グラウンドコンタクト部３９の内側を貫通して伸び、回路基板３１に形成された透孔３３の内壁面に配されたシグナル端子部３４に、それをグラウンドコンタクト部材２１の環状嵌合部２６の相手方コネクタ装置３０における環状グラウンドコンタクト部３９との嵌合方向に直交する方向に押圧する状態をもって接触係合して接続されるものとなる。
【００４９】
このようにして、同軸コネクタ装置１０におけるコンタクト部材２０の弾性接触係合部６１が回路基板３１に設けられたシグナル端子部３４に接触係合して接続されることにより、同軸コネクタ装置１０におけるコンタクト部材２０の中心導体接続部６０に接続された同軸ケーブル１１の中心導体１２が、コンタクト部材２０の弾性接触係合部６１を介して、回路基板３１に設けられたシグナル端子部３４に電気的に連結されることになる。
【００５０】
上述のような本願発明に係る同軸コネクタ装置の一例を成す同軸コネクタ装置１０によれば、同軸ケーブル１１の一端に装着されるにあたり、同軸ケーブル１１の中心導体１２がコンタクト部材２０の中心導体接続部６０にそれにより機械的に挟持されることにより接続されるので、コンタクト部材２０と同軸ケーブル１１の中心導体１２との接続にあたり半田付けを不要とすることができる。
【００５１】
また、同軸コネクタ装置１０によれば、同軸ケーブル１１の中心導体１２が接続されたコンタクト部材２０の中心導体接続部６０から伸びる弾性接触係合部６１が、相手方コネクタ装置３０が装着された回路基板３１における透孔３３の内壁面に配されたシグナル端子部３４に直接的に接触係合して、同軸ケーブル１１の中心導体１２をコンタクト部材２０を介して回路基板３１に設けられたシグナル端子部３４に連結するので、コンタクト部材２０の弾性接触係合部６１と回路基板３１におけるシグナル端子部３４との間に両者を連結するための部材が不要とされて、回路基板３１における部品等搭載面３２からの突出寸法の低減を図ることができる。
【００５２】
しかも、コンタクト部材２０の弾性接触係合部６１が、回路基板３１に形成された透孔３３の内壁面に配されたシグナル端子部３４に直接的に接触係合するにあたり、その弾性によって、シグナル端子部３４を、グラウンドコンタクト部材２１の環状嵌合部２６が相手方コネクタ装置３０の環状グラウンドコンタクト部３９に嵌合する際の嵌合方向に直交する方向に押圧する状態をとるので、弾性接触係合部６１のシグナル端子部３４に対する接触方向が、グラウンドコンタクト部材２１の環状嵌合部２６が相手方コネクタ装置３０の環状グラウンドコンタクト部３９に嵌合する際の嵌合方向に沿う方向でなく、当該嵌合方向に直交する方向とされる。その結果、弾性接触係合部６１の同軸コネクタ装置１０外への突出長、例えば、弾性接触係合部６１の先端部の絶縁ハウジング部材２２における基部２５の一端から当該基部２５の外部への突出長が、回路基板３１の厚み寸法以下である限り、その突出の仕方の如何によらず、弾性接触係合部６１のシグナル端子部３４との接触接続が適正に行われる状態を得ることができ、コンタクト部材２０のシグナル端子部３４との接触接続が適正に行われなくなる事態を回避することができる。
【産業上の利用可能性】
【００５３】
以上のような本願発明に係る同軸コネクタ装置は、同軸ケーブルの中心導体が接続されるコンタクト部材と、同軸ケーブルの外側導体が接続されるグラウンドコンタクト部材と、コンタクト部材とグラウンドコンタクト部材とを相互絶縁状態をもって支持する絶縁ハウジング部材とを備えて構成されるもとで、コンタクト部材と同軸ケーブルの中心導体との接続にあたって半田付けを不要とでき、かつ、コンタクト部材を相手方コネクタ装置が配された回路基板に設けられたシグナル端子部に直接に接触係合して接続されるものとなすことにより、当該回路基板における部品等搭載面からの突出寸法の低減を図ることができ、しかも、コンタクト部材のシグナル端子部との接触接続が適正に行われなくなる事態を回避することができるものとして、各種の電子機器等に広く適用され得るものである。
【符号の説明】
【００５４】
１０・・・同軸コネクタ装置，  １１・・・同軸ケーブル，  １２・・・中心導体，    １３・・・内部絶縁体，  １４・・・外側導体，  １５・・・表皮絶縁体，  ２０・・・コンタクト部材，  ２１・・・グラウンドコンタクト部材，  ２２・・・絶縁ハウジング部材，  ２４・・・矩形透孔，  ２５・・・基部，  ２６・・・環状嵌合部，  ３０・・・相手方コネクタ装置，  ３１・・・回路基板，  ３３・・・透孔、  ３４・・・シグナル端子部，  ３５・・・絶縁基体，  ３９・・・環状グラウンドコンタクト部，  ４０・・・グラウンド接続部，  ４５・・・折曲当接部，  ４６・・・保持部，  ４７・・・シェル部，  ４８・・・ケーブル支持部，  ４９・・・第１の折曲係合部，  ５０・・・第２の折曲係合部，  ５５・・・固定部，  ５５ａ，５７ａ・・・溝部,   ５６・・・屈曲部，  ５７・・・可動平板状部，  ５８，５９・・・弾性舌片部，  ６０・・・中心導体接続部，  ６１・・・弾性接触係合部
【図１】
0005522410.tif 000002
【図２】
0005522410.tif 000003
【図３】
0005522410.tif 000004
【図４】
0005522410.tif 000005
【図５】
0005522410.tif 000006
【図６】
0005522410.tif 000007
【図７】
0005522410.tif 000008
【図８】
0005522410.tif 000009
【図９】
0005522410.tif 000010
【図１０】
0005522410.tif 000011
【図１１】
0005522410.tif 000012
【図１２】
0005522410.tif 000013
【図１３】
0005522410.tif 000014
【図１４】
0005522410.tif 000015